(57)【特許請求の範囲】
【請求項１】
表皮は、所定の箇所に開口部を設け、袋状に縫い合わせて成り、フレームに被覆
して成り、
カップ・ホルダーは、それの開口寄りで内側面にリング溝を開口させてその表皮の
開口部にはめ込まれた状態からなり、
スナップ−イン型覆い枠は、上端にシュラウド・ヘッドを備え、下端の外側面に爪を突き出し、その表皮内でパッドの一体発泡後の状態で、その表皮の上からそのカップ・ホルダーに押し込まれた状態から成り、そのカップ・ホルダーのその内側面のリング溝にその下端の外側面の爪を引っ掛けた状態で、その表皮と共にそのカップ・ホルダーに固設され、
カップ・ホルダーの内側面とスナップ−イン型覆い枠の外側面との間にその表皮端末を設けて成る自動車シートに用いるアームレスト。
【請求項２】
そのカップ・ホルダーは、樹脂で成形され、そのスナップ−イン型覆い枠は、樹脂、金属で成形される請求項1に記載の自動車シートに用いるアームレスト。
【請求項３】
そのフレームは、パイプ・フレームあるいはワイヤ・フレームである請求項1および２
の何れかに記載の自動車シートに用いるアームレスト。
【発明の詳細な説明】
【技術分野】
【０００１】
この発明は、自動車シートに用いるアームレストに関し、特に、そのアー
ムレストにカップ・ホルダーを組み付ける構造の改良に関する。
【背景技術】
【０００２】
通常、この種のアームレストでは、表皮の上にカップ・ホルダーを組み付けるので、そのカップ・ホルダーを固定するための受けが必要になった。その受けのためにフレームが活用され、そのカップ・ホルダーがそのフレームにねじ止めされる構造が採られるので、そのフレームが板金を折り曲げて成形され、その結果、重量が増加されてコストが掛かった。
【先行技術文献】
【特許文献】
【０００３】
特開２００１−３００１６１公報
【発明の概要】
【発明が解決しようとする課題】
【０００４】
この発明の課題は、カップ・ホルダーの受けにフレームを必要とせずに部品構成が簡素になって軽量化を図り、そして、コスト低減を図るところの自動車シートに用いるアームレストを提供するにある。
【課題を解決するための手段】
【０００５】
この発明の自動車シートに用いるアームレストは、この発明の自動車シートに用いるアームレストは、  表皮は、所定の箇所に開口部を設け、袋状に縫い合わせて成り、フレームに被覆して成り、カップ・ホルダーは、それの開口寄りで内側面にリング溝を開口させてその表皮の開口部にはめ込まれた状態からなり、スナップ−イン型覆い枠は、上端にシュラウド・ヘッドを備え、下端の外側面に爪を突き出し、その表皮内でパッドの一体発泡後の状態で、その表皮の上からそのカップ・ホルダーに押し込まれた状態から成り、そのカップ・ホルダーのその内側面のリング溝にその下端の外側面の爪を引っ掛けた状態で、その表皮と共にそのカップ・ホルダーに固設され、カップ・ホルダーの内側面とスナップ−イン型覆い枠の外側面との間にその表皮端末を設けて成る。
【発明の効果】
【０００６】
この発明の自動車シートに用いるアームレストでは、カップ・ホルダーの受
けにフレームを必要とせずにそのカップ・ホルダー自身が、その受けに活用可能になって表皮の開口周り端末が、そのカップ・ホルダーにはめ込まれる別体のスナップ−イン型覆い枠によってそのカップ・ホルダーに固定可能になり、部品構成が簡潔になって軽量化が図られ、そして、コスト低減が図られる。
【図面の簡単な説明】
【０００７】
【図１】乗用車のリア・シートのセンター・アームレストに活用されるところのこの発明の自動車シートに用いるアームレストの具体例を示した斜視図である。
【図２】図１の２−２線の沿って示した断面図である。
【図３】図２を部分的に拡大して示した部分拡大図面である。
【図４】表皮、カップ・ホルダー、およびスナップ−イン型覆い枠を示した分解斜視図である。
【発明を実施するための形態】
【０００８】
この発明の自動車シートに用いるアームレストは、この発明の自動車シートに用いるアームレストは、  表皮は、所定の箇所に開口部を設け、袋状に縫い合わせて成り、フレームに被覆して成り、カップ・ホルダーは、それの開口寄りで内側面にリング溝を開口させてその表皮の開口部にはめ込まれた状態からなり、スナップ−イン型覆い枠は、上端にシュラウド・ヘッドを備え、下端の外側面に爪を突き出し、その表皮内でパッドの一体発泡後の状態で、その表皮の上からそのカップ・ホルダーに押し込まれた状態から成り、そのカップ・ホルダーのその内側面のリング溝にその下端の外側面の爪を引っ掛けた状態で、その表皮と共にそのカップ・ホルダーに固設され、カップ・ホルダーの内側面とスナップ−イン型覆い枠の外側面との間にその表皮端末を設けて成る。
【０００９】
そのカップ・ホルダーが、樹脂で成形され、そして、そのスナップ−イン型覆い枠が、樹脂、金属などで成形される。そして、そのフレームが、パイプ・フレームあるいはワイヤ・フレームである。
【実施例１】
【００１０】
以下、特定されて図示された具体例に基づいて、この発明の自動車シートに用いるアームレストを説明するに、図1ないし図４は、乗用車のリア・シートのセンター・アームレストに活用されるところのこの発明の自動車シートに用いられるアームレストの具体例１０を示し、そして、このセンター・アームレスト１０では、表皮１３が、所定の箇所に開口部２１を切り抜く袋に縫い合わせられてフレーム１１に被せられ、カップ・ホルダー１４が、それの開口寄りで内側面２５にリング溝２７を開口させてその表皮１３のその開口部２１にはめ込まれ、そして、スナップ−イン型覆い枠１５が、一端にシュラウド・ヘッド２８を備え、他端の外側面３０に爪２９を突き出し、そして、その表皮１３内でパッド１２の一体発泡後にその表皮１３の上からそのカップ・ホルダー１
４に押し込まれ、そのカップ・ホルダー１４のそのリング溝２７にその爪２９を引っ掛けてその表皮１３と一緒にそのカップ・ホルダー１４に固定的に止められる。
【００１１】
その表皮１３は、そのセンター・アームレスト１０の裏面２０で先端側の位置に相当する箇所にその開口部２１を開口させ、袋に縫われて通常に仕上げられ、そして、そのフレーム１１に被せられる。このセンター・アームレスト１０の場合、そのカップ・ホルダー１４の受けにそのフレーム１１を必要としないので、そのフレーム１１は、ワイヤ・フレームを用いて板金を折り曲げて成形する構造を採らずに簡潔で軽量化された。勿論、このフレーム１１はパイプ・フレームであってもかまわない。
【００１２】
そのカップ・ホルダー１４は、それの開口２３の周りで外側面２４に周囲フランジ２６を突き出し、そして、その開口２３の側に寄せられて内側面２５にリング溝２７を開口する構造に樹脂から成形される。このカップ・ホルダー１４は軟質樹脂、エラストマーのような軟質樹脂であってもかまわない。
【００１３】
そのスナップ−イン型覆い枠１５は、それの上端にそのシュラウド・ヘッド２８を備え、そして、それの下端の外側面３０にリング状爪２９を突き出す構造に設計されて硬質樹脂から成形される。
そして、このスナップ−イン型覆い枠１５は、パッド１２がそのワイヤ・フレーム１１に被せられてその表皮１３内に発泡性樹脂原液を注入して一体発泡された後にその表皮１３のその開口部２１のところでその表皮１３の上からそのカップ・ホルダー１４のその開口２３に押し込まれ、そして、そのカップ・ホルダー１４のそのリング溝２７にそのリング状爪２９を引っ掛けてそのカップ・ホルダー１４のその開口２３に固定的に止められ、そして、その表皮１３のその開口部２１の表皮端末２２も覆ってそのカップ・ホルダー１
４のその開口２３に固定的に組み立てられる。
【００１４】
このスナップ−イン型覆い枠１５は、シュラウド型開口縁でそのカップ・ホルダー１４のその開口２３の周りでその表皮１３のその開口部２１の表皮端末２２を処理する。勿論このスナップ−イン型覆い枠１４は、金属から成形されてもかまわない。
【００１５】
したがって、このセンター・アームレスト１０では、そのカップ・ホルダー１４の受けにそのフレーム１１を必要とせずにそのカップ・ホルダー１４自身が、その受けに活用可能になって表皮１３の開口周り端末が、そのカップ・ホルダー１４にはめ込まれる別体のスナップ−イン型覆い枠１５によってそのカップ・ホルダーに１４固定可能になり、部品構成が簡潔になって軽量化が図られ、そして、コスト低減が図られる。
【００１６】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１７】
上述から理解されるように、この発明の自動車シートに用いるアームレスト
は、  表皮は、所定の箇所に開口部を設け、袋状に縫い合わせて成り、フレームに被覆して成り、カップ・ホルダーは、それの開口寄りで内側面にリング溝を開口させてその表皮の開口部にはめ込まれた状態からなり、スナップ−イン型覆い枠は、上端にシュラウド・ヘッドを備え、下端の外側面に爪を突き出し、その表皮内でパッドの一体発泡後の状態で、その表皮の上からそのカップ・ホルダーに押し込まれた状態から成り、そのカップ・ホルダーのその内側面のリング溝にその下端の外側面の爪を引っ掛けた状態で、その表皮と共にそのカップ・ホルダーに固設され、カップ・ホルダーの内側面とスナップ−イン型覆い枠の外側面との間にその表皮端末を設けて成るので、カップ・ホルダーの受けにフレームを必要とせずにそのカップ・ホルダー自身が、その受けに活用可能になって表皮の開口周り端末が、そのカップ・ホルダーにはめ込まれる別体のスナップ−イン型覆い枠によってそのカップ・ホルダーに固定可能になり、部品構成が簡潔になって軽量化が図られ、そして、コスト低減が図られ、その結果、自動車シートにとって非常に有用で実用的で
ある。
【符号の説明】
【００１８】
１０  アームレスト／センター・アームレスト
１１  フレーム／ワイヤ・フレーム
１２  パッド
１３  表皮
１４  カップ・ホルダー
１５  スナップ−イン型覆い枠
２０  裏面
２１  開口部
２２  表皮端末
２３  開口
２４  外側面
２５  内側面
２６  周囲フランジ
２７  リング溝
２９  シュラウド・ヘッド
３０  外側面
【図１】
0005989407.tif 000002
【図２】
0005989407.tif 000003
【図３】
0005989407.tif 000004
【図４】
0005989407.tif 000005